(57)【要約】【課題】検針ミラーを保護し、検針メータの窓の汚れや雨滴を拭き取り、ミラー面への日光の差し込みを回避することのできる取り外し自在な保護カバー及び検針ミラーを備える検針用器具を提供する。【解決手段】検針用器具は、光の反射面を有するミラー部と、ミラー部を支持する伸縮自在のポール部と、ポール部に対するミラー部の傾斜角度を設定する角度調整部とを備える検針ミラーと、検針ミラーのミラー部を覆う保護カバーとを備える。保護カバーが、スポンジ材から形成されており、ミラー部の背面及び保護カバーの背面部に、それぞれ、面ファスナーの一方のファスナー面及び他方のファスナー面が貼着されていて、保護カバーがミラー部に取り外し自在に取り付けることができ、保護カバーの少なくとも上面部が、ミラー部の反射面から突出するように形成されている。【選択図】図６
2012170636.tif 000002
【特許請求の範囲】
【請求項１】
光の反射面を有するミラー部と、該ミラー部を支持する伸縮自在のポール部と、前記ミラー部と前記ポール部との間に設けられていて、ポール部に対するミラー部の傾斜角度を設定する角度調整部とを備える検針ミラーと、
該検針ミラーの前記ミラー部を覆う保護カバーとを備え、
該保護カバーが、スポンジ材から形成されていて、前記ミラー部の背面と接する背面部と、該ミラー部の側端面と接する側面部と、該ミラー部の上端面と接する上面部とを備え、
前記ミラー部の背面及び前記保護カバーの前記背面部に、それぞれ、面ファスナーの一方のファスナー面及び他方のファスナー面が貼着されていて、前記保護カバーが前記ミラー部に取り外し自在に取り付けることができ、
前記保護カバーの少なくとも上面部が、前記ミラー部の反射面から突出するように形成されている、検針用器具。
【請求項２】
請求項１の検針用器具において、前記保護カバーの少なくとも上面部の前記ミラー部の反射面から突出する高さが、５ｍｍ程度である、検針用器具。
【請求項３】
請求項１又は２の検針用器具において、前記保護カバーの上面部、側面部及び背面部の角が丸められている、検針用器具。
【請求項４】
請求項１乃至３のいずれかの検針用器具において、前記保護カバーの少なくとも上面部の内壁面に、半円筒形状の溝が形成されていて、該溝に、前記検針ミラーの前記ミラー部の上端面が挿入される、検針用器具。
【請求項５】
請求項１乃至４のいずれかの検針用器具において、前記保護カバーが一体成型により形成されている、検針用器具。
【請求項６】
請求項１乃至５のいずれかの検針用器具において、前記ミラー部の反射面は平坦、凹形状又は凸形状である、検針用器具。
【発明の詳細な説明】
【技術分野】
【０００１】
本発明は、比較的狭い空間や比較的高所に設置された電気、ガス、水道等の検針メータの検針のために使用する検針用器具に関する。
【背景技術】
【０００２】
電気、ガス、水道等が供給される居住用、店舗用、工場等の建物には、電気等の使用量を示す検針メータが設置されている。検針メータは、定期的に、電気等の供給者の作業員によって検針され、その検針に基づいて、使用量に応じた料金の算出が行われている。
【０００３】
そのような検針メータは、比較的高所に設置されていたり、また、隣り合う建物が接近して建てられたために、作業者の身体が入り難い狭い空間に残されてしまったりするものがある。
【０００４】
そのため、作業者は、伸縮自在なポールの先端にミラーを取り付けた検針用器具を用い、検針メータにミラーを近づけてその目盛や数字をそのミラーに反射させることによって読み取ることを行っている。
【０００５】
一方、ミラーはガラス製であるため、落下して衝撃を受けると破損することがある。
【先行技術文献】
【特許文献】
【０００６】
【特許文献１】特開平８−２３８１５０号公報  特許文献１は、保護層を設けることにより小さい衝撃力、曲げ力等の外力に対し変形、破損をすることなく十分な耐久性を有するようにした鏡用反射体を開示する。
【特許文献２】特開平１０−２４８６９２号公報  特許文献２は、透明ガラス板の裏面側に、保護膜及びシリコンゴム等の弾性被膜が形成された飛散防止鏡を開示する。
【発明の概要】
【発明が解決しようとする課題】
【０００７】
特許文献１又は２のように保護層等をガラス板の裏側に固定することによって鏡面体を保護するようにすると、既存の検針用器具のミラーの活用が図れなくなる。
【０００８】
検針メータを覆うカバーの検針窓に汚れや雨滴が付着していると、検針メータの目盛や数字を読み取ることが困難であるため、高所にある検針メータの場合には、伸縮自在のポールの先端に清掃具を取り付けて、検針作業の前に、窓の清掃作業を行わなければならず、作業が煩雑になっている。
【０００９】
検針メータの目盛や数字を読み取る際には、ミラーの一部を検針メータの窓に接触させることによってミラーの位置を固定しているが、ミラーは金属枠で囲まれており、その枠は検針メータのガラス窓に接触すると滑りやすいため、検針メータの目盛や数字を読み取る際にミラーを適切な位置に固定することが困難な場合がある。
【００１０】
ミラーに太陽光の差込みがあると、それによる光の反射により、検針メータの目盛や数字の読み取りが困難になっている。
【００１１】
また、ミラーの角を保護する観点から、ミラーの縁に保護部材を貼り付けると、ミラーの反射面の面積が狭くなってしまう。
【００１２】
上記のさまざまな課題に鑑み、本発明は、落下に伴うミラーへの衝撃を緩和してミラーの破損を防止するための取り外し自在な保護カバー及び検針ミラーを備える検針用器具を提供することを目的とする。
【００１３】
本発明は、検針作業の前に検針メータの窓の清掃を別の用具を用いて行う必要のない、保護カバー及び検針ミラーを備える検針用器具を提供することを目的とする。
【００１４】
本発明は、検針作業の際に、ミラーを所定の位置に停止させることによって、検針作業を容易にする、保護カバー及び検針ミラーを備える検針用器具を提供することを目的とする。
【００１５】
本発明は、検針作業の際に、太陽光のミラーへの入射を防ぐことによって検針作業を容易にする、保護カバー及び検針ミラーを備える検針用器具を提供することを目的とする。
【００１６】
また、本発明は、ミラーの反射面の面積を狭めることのない、保護カバー及び検針ミラーを備える検針用器具を提供することを目的とする。
【課題を解決するための手段】
【００１７】
そこで、本発明に係る検針用器具は、光の反射面を有するミラー部と、該ミラー部を支持する伸縮自在のポール部と、前記ミラー部と前記ポール部との間に設けられていて、ポール部に対するミラー部の傾斜角度を設定する角度調整部とを備える検針ミラーと、該検針ミラーの前記ミラー部を覆う保護カバーとを備え、該保護カバーが、スポンジ材から形成されていて、前記ミラー部の背面と接する背面部と、該ミラー部の側端面と接する側面部と、該ミラー部の上端面と接する上面部とを備え、前記ミラー部の背面及び前記保護カバーの前記背面部に、それぞれ、面ファスナーの一方のファスナー面及び他方のファスナー面が貼着されていて、前記保護カバーが前記ミラー部に取り外し自在に取り付けることができ、前記保護カバーの少なくとも上面部が、前記ミラー部の反射面から突出するように形成されていることを特徴とする。
【００１８】
その検針用器具において、前記保護カバーの少なくとも上面部の前記ミラー部の反射面から突出する高さを５ｍｍ程度にしてもよい。
【００１９】
その検針用器具において、前記保護カバーの上面部、側面部及び背面部の角は丸めてもよい。
【００２０】
その検針用器具において、前記保護カバーの少なくとも上面部の内壁面に、半円筒形状の溝が形成されていて、該溝に、前記検針ミラーの前記ミラー部の上端面を挿入してもよい。
【００２１】
その検針用器具において、前記保護カバーを一体成型により形成してもよい。
【００２２】
その検針用器具において、前記ミラー部の反射面は平坦、凹形状又は凸形状にしてもよい。
【発明の効果】
【００２３】
本発明によると、落下に伴うミラーへの衝撃を緩和してミラーの破損を防止するための取り外し自在な保護カバー及び検針ミラーを備える検針用器具を提供することができる。
【００２４】
本発明によると、検針作業の前に検針メータの窓の清掃を別の用具を用いて行う必要のない、保護カバー及び検針ミラーを備える検針用器具を提供することができる。
【００２５】
本発明によると、検針作業の際に、ミラーを所定の位置に停止させることによって、検針作業を容易にする、保護カバー及び検針ミラーを備える検針用器具を提供することができる。
【００２６】
本発明によると、検針作業の際に、太陽光のミラーへの入射を防ぐことによって検針作業を容易にする、保護カバー及び検針ミラーを備える検針用器具を提供することができる。
【００２７】
また、本発明によると、ミラーの反射面の面積を狭めることのない、保護カバー及び検針ミラーを備える検針用器具を提供することができる。
【図面の簡単な説明】
【００２８】
【図１】図１は、本発明に係る検針ミラーの一実施形態を示す斜視図である。
【図２】図２は、図１に示す検針ミラーの側面図である。
【図３】図３は、図１に示す検針ミラーの一部の背面図である。
【図４】図４は、本発明に係る検針ミラーに取り付けられる保護カバーの一実施形態を示す斜視図である。
【図５】図５（Ａ）は、図４に示す保護カバーの５Ａ−５Ａ線の方向に見たものの一部の断面図である。図５（Ｂ）は、図４に示す保護カバーに対応する他の実施形態に係る保護カバーにおいて、図４に示す保護カバーの５Ａ−５Ａ線の方向と同様の方向に見たものの一部の断面図である。
【図６】図６は、図１から図３に示す検針ミラーのミラー部に図４に示す保護カバーを取り付けた状態を説明するための簡略化した斜視図である。
【図７】図７は、図６の保護カバーを取り付けた検針ミラーの使用状態を説明するための簡略化した図で、ミラー部は図６において７Ａ−７Ａ線の方向に見た一部断面図で示す。
【図８】図８は、図７のように保護カバーを取り付けた検針ミラーの他の使用状態を説明するための簡略化及び拡大した一部分の断面図である。
【図９】図９は、図４に示す保護カバーに対応する他の実施形態に係る保護カバーを検針ミラーのミラー部に取り付けた状態を示す簡略化した斜視図である。
【発明を実施するための形態】
【００２９】
以下、添付図面を参照しながら、本発明に係る検針ミラー及び保護カバーについて説明する。なお、全図において、各部材の厚さ、長さ、形状、部材同士の間隔、隙間等は、理解の容易のために、適宜、拡大・縮小・変形・簡略化等を行っているため、本発明は図面の形状等に限定されるものではない。図の説明の際の上下・左右の表現は、説明の便宜上、その図を鉛直面内に置いた状態でのその図面の面に沿った方向を表すものとする。また、異なる図面において、同じ部材には同じ参照符号を付し、場合に応じて説明を省略する。
【００３０】
［検針ミラーの概略］
図１は、本発明に係る検針ミラーの一実施形態を示す斜視図であり、図２は、図１に示す検針ミラーの側面図であり、図３は、図１に示す検針ミラーの背面図である。
【００３１】
検針ミラー１は、ミラー部１０、角度調整部２０及び伸縮自在なポール部３０からなる。
【００３２】
ミラー部１０は、平坦な反射面を有する鏡１２、鏡の周囲及び背面を覆う金属の枠１８、並びに枠１８の背面に取り付けられた保持部材１６を備える。保持部材１６は、ミラー部１０を角度調整部２０に連結するためのもので、２つのネジ部材１６ｎによって枠１８の背面に固定され、鏡１２から下方に突出する部分がやや湾曲し、その下端部１６ｂが角度調整部２０の上方の端部に連結されている。
【００３３】
ミラー部１０の背面には、保持部材１６が取り付けられている部分を除いて、面ファスナーの一方の側のファスナー面１４が貼着されている。ファスナー面１４は、後述するように、保護カバーの背面部５０ｃ（図４）に固定されている他方の側のファスナー面５４（図４）に貼りつくことができる。
【００３４】
ミラー部１０の枠１８の寸法は、図３において、例えば、左右の横方向が約５０ｍｍ、上下の縦方向が約４０ｍｍ、前後の厚さ方向が約５ｍｍである。
【００３５】
ポール部３０は多段階に伸縮自在な構造となっており、その先端部３０ｂが、角度調整部２０の下方の端部に連結されている。
【００３６】
例えば、ポール部３０は、収納時は約２０ｃｍで、伸長時は約１．２ｍにすることができる。
【００３７】
角度調整部２０は、対向して配置された２枚の細長いプレート２４−１，２４−２を備える。それらのプレートの長手方向の両端部にはそれぞれ保持部材１６の下端部１６ｂ及びポール部３０の先端部３０ｂを回動自在に保持するための孔が形成されている。また、それらのプレートの中央には、それらのプレートを接近又は離隔するための蝶ネジ２２が取り付けられていて、蝶ネジ２２を緩めると２枚のプレートの間隔が広がって保持部材１６の下端部１６ｂ及びポール部３０の先端部３０ｂが回動自在となって鏡１２の鏡面の向きを任意に変えることができ、蝶ネジ２２を締め付けて２枚のプレートを接近させると、保持部材１６の下端部１６ｂ及びポール部３０の先端部３０ｂがそれらのプレートの間にしっかりと固定されて、ポール部３０に対する鏡１２の向き（傾斜）を所望の向きに固定することができる。
【００３８】
［保護カバーの概略］
図４は、図１から図３に示す検針ミラー１のミラー部１０に、取り外し自在に取り付けることのできる保護カバー５０の一実施形態を示す斜視図である。
【００３９】
保護カバー５０は、ミラー部１０の背面に貼着された面ファスナーの一方の側のファスナー面１４にくっつくことのできる他方のファスナー面５４が固定された背面部５０ｃと、ミラー部１０の左右の端面に接する側面部５０ｂと、ミラー部１０の上端面に接する上面部５０ａとを備える。
【００４０】
背面部５０ｃには、切欠き部５２が形成されていて、その空間には、ミラー部１０の背面に固定された保持部材１６が収容される。
【００４１】
保護カバー５０の上面部５０ａ、側面部５０ｂ及び背面部５０ｃの内壁面によって形成される空間の寸法は、検針ミラー１のミラー部１０の寸法に対応する。この実施例では、対向する２つの側面部５０ｂの内壁面間の間隔５０ｉｗは、ミラー部１０の横方向の長さに対応した約５０ｍｍであり、各側面部の内壁面において上面部５０ａの内壁面に接する位置から他方の開放端部までの長さ５０ｉｖは、ミラー部１０の縦方向の長さに対応した約４０ｍｍであり、背面部５０ｃの内壁面から上面部５０ａの開放側の端部までの長さ５０ｉｈは、ミラー部１０の厚さ方向の大きさを含む約１０ｍｍである。
【００４２】
また、保護カバー５０の上面部５０ａの厚さ、言い換えると、保護カバー５０の側面部５０ｂの外壁面の縦方向の長さ５０ｏｖから側面部５０ｂの内壁面の縦方向の長さ５０ｉｖを引いた大きさは、約５ｍｍであり、保護カバー５０の側面部５０ｂの厚さ、言い換えると、上面部５０ａの外壁面の横方向の長さ５０ｏｗから上面部５０ａの内壁面の横方向の長さ５０ｉｗを引いた大きさを２分したものは、約５ｍｍであり、保護カバー５０の背面部５０ｃの厚さ、言い換えると、側面部５０ｂの外壁面の高さ方向の長さ５０ｏｈから側面部５０ｂの内壁面の高さ方向の長さ５０ｉｈを引いた大きさは、約５ｍｍである。
【００４３】
保護カバー５０は、上面部５０ａ、側面部５０ｂ及び背面部５０ｃを別々の板形状に形成したスポンジ材を組み合わせて接着することによって、図４に示すような形状の保護カバーを形成してもよい。ただし、その場合には、各部分が接着部分から剥がれたり、接着部分がスポンジ機能を発揮せずに柔軟性に欠けたり水分の吸収性に劣ることがあるため、型を用いて、スポンジ材を図４に示すような形状に一体成型することが望ましい。
【００４４】
スポンジ材は、例えば、適度な柔軟性を有するとともに、水分の吸収に優れたものであればどのような材質から作られてもよい。例えば、緩衝材、パッキン、防音材、断熱材など幅広い工業製品に利用されているゴムスポンジを用いてもよい。この場合には、ゴムの素材や発泡剤などの配合の組み合わせの相違によって硬さを変えることにより本発明の用途に適合させることができる。また、一般的に使用されているポリウレタン等の合成樹脂を発泡成形して作ったスポンジを用いてもよい。
【００４５】
また、保護カバー５０の上面部５０ａ、側面部５０ｂ及び背面部５０ｃの縁部の角をさらに丸めるように形成してもよい。それにより、後述するように、検針メータの数字等を読み取る際に、角が視界を遮ることを防ぐことができる。
【００４６】
図５（Ａ）は、図４に示す保護カバーの５Ａ−５Ａ線の方向に見たものの一部の断面図である。
【００４７】
その図に示すように、保護カバー５０の背面部５０ｃの内壁面には、面ファスナーの一方の側のファスナー面５４が貼着されている。また、上面部５０ａの内壁面は平坦である。
【００４８】
図５（Ｂ）は、図４に示す保護カバーの他の実施形態に係る保護カバー５０−１の一部を示す。図５（Ｂ）に示すように、図５（Ａ）の実施形態と同様に、保護カバー５０−１の背面部５０ｃの内壁面には、面ファスナーの一方の側のファスナー面５４が貼着されている。一方、上面部５０ａ−１の内壁面には、背面部５０ｃの内壁面に接する位置に、半円筒形状の溝５６が形成されている。後述するように、その溝に、図１に示す検針ミラー１のミラー部１０の枠１６の上縁部を挿入すると、その上縁部が上面部５０ａ−１の内壁面に係合してミラー部１０に保護カバー５０−１をしっかりと取り付けることができるようになる。
【００４９】
［検針ミラーへの保護カバーの取付］
図６は、図１から図３に示す検針ミラー１のミラー部１０に、図４に示す保護カバーを取り付けた状態を説明するための簡略化した斜視図である。その図に示すように、保護カバー５０の上面部５０ａ、側面部５０ｂ及び背面部５０ｃによって形成された空間に、ミラー部１０を背面部から挿入して、保護カバー５０の背面部５０ｃに貼着されているファスナー面５４に、ミラー部１０の背面部に固定されているファスナー面１４を貼り合わせる。その際、ミラー部１０の枠１８の上端面を保護カバー５０の上面部５０ａの内壁面に当接させて、ミラー部１０と保護カバー５０との間に隙間がないように取り付ける。
【００５０】
図７は、図６の保護カバーを取り付けた検針ミラーの使用状態を説明するための簡略化した図である。
【００５１】
図７では、検針メータがボックス６０に収容されており、ボックス６０には、内部の検針メータの数字等を読み取ることができるようするため、窓が設けられている。図７に示す矢印は、検針メータの数字等から反射された光の経路を表している。
【００５２】
例えば、検針メータのボックス６０が高い位置にあり、検針メータの数字等を肉眼で見ることができない場合には、まず、角度調整部２０の蝶ネジ２２を緩めて、検針ミラー１のミラー部１０を動かして、鏡１２の反射面を適切な向きまで動かし、その状態で蝶ネジ２２を締め付けて鏡１２の向きを固定する。次に、ポール部３０を引き伸ばして、検針ミラー１のミラー部１０の鏡１２の反射面を検針メータのボックス６０の窓に近づける。
【００５３】
図７に示すように、検針ミラー１のミラー部１０の鏡１２の反射面を検針メータに近づけると、その検針メータの数字等から反射された光が、鏡１２の反射面で反射されて、図７の下側でポール部３０の下側を保持する検査員の目に届く（図示せず）。これにより、検査員は検針メータの数字等を読み取ることができる。ただし、読取の際に、保護カバー５０の鏡１２よりも突出する部分の先端部５０ａを検針メータのボックス６０の窓に当てると、保護カバー５０のスポンジ材が窓に対し滑り止めとして機能するため、ミラー部１０の動きを抑え、容易に、検針メータの数字等を読み取ることができるようになる。
【００５４】
また、図７において、例えば、日暮れ近くになって、太陽が、検針ミラー１のミラー部１０を上方又は横方向から照らすような状況になると、ミラー部１０の鏡１２の周囲から廂のように突出する保護カバー５０の上面部５０ａ、側面部５０ｂ及び背面部５０ｃが、その太陽光が鏡１２の反射面に射し込むことを遮り、太陽光の反射光や散乱光によって、その反射面の読み取りが困難になることを防ぐことができる。
【００５５】
そのため、鏡１２の周囲から廂のように突出する保護カバー５０の上面部５０ａ、側面部５０ｂ及び背面部５０ｃの高さは、ある程度必要であるが、高くなりすぎると、検針メータの数字等から反射された光が届く鏡１２の反射面の有効な面積を狭めることになってしまうことに留意が必要である。例えば、鏡１２の周囲から廂のように突出する保護カバー５０の上面部５０ａ、側面部５０ｂ及び背面部５０ｃの高さは、５ｍｍから１０ｍｍ程度が好ましいが、それに限定されるものではない。
【００５６】
図８は、検針ミラー１のミラー部１０に、図５（Ｂ）に示すように半円筒形状の溝５６が形成された保護カバー５０−１を取り付けたものを使用する状態を説明するための簡略化及び拡大した一部断面図である。面ファスナー等の図示は省略している。
【００５７】
図８では、検針メータのボックス６０の検針メータの読み取り用の窓６２に、保護カバー５０−１の上面部５０ａ−１の先端部の角を押し付けている。保護カバー５０−１はスポンジ材から作られているため、図８に示すように、その押し付けた角は、やや変形している。この状態で、矢印で示すように、その角を窓６２に沿って一方向又は往復移動させると、窓６２の表面上の汚れや水分を拭き取ることができる。これにより、窓６２がきれいになって検針メータの数字等の読み取りが容易になる。
【００５８】
この実施形態によると、そのように窓６２を清掃した後には、保護カバー５０−１の上面部５０ａ−１の先端部の角を窓６２に押し付けたままの状態で、検針メータの数字等を読み取ることができるため、読取作業とは別の器具を用いて清掃等の作業を行う必要がなく、読取作業を効率よく行うことができる。
【００５９】
また、保護カバー５０−１はスポンジ材から形成されているため、柔軟性を有し、変形しやすい。そのため、上記のように、上面部５０ａ−１の先端部の角を窓に沿って押しつけながら往復移動させると、上面部５０ａ−１がその角の移動と共に撓むことになる。しかし、図５（Ｂ）に示すような半円筒形状の溝５６を有する保護カバー５０−１を用いた場合には、その溝に、ミラー部１０の枠１８の上端面が挿入されて係合しているため、角を窓に押し付けて窓の掃除を行ったとしても、枠１８の上端面は上面部５０ａ−１から外れにくい。
【００６０】
図９は、図４に示す保護カバーの他の実施形態に係る保護カバー１００をミラー部１０に取り付けた状態を説明するための簡略化した斜視図である。
【００６１】
保護カバー１００は、ミラー部１０の背面に固定されたファスナー面（図示せず）に貼りつくことのできるファスナー面（図示せず）が固定された背面部１００ｃと、ミラー部１０の左右の端面に接する側面部１００ｂと、ミラー部１０の上端面に接する上面部１００ａとを備える。
【００６２】
背面部１００ｃには、切欠き部１０２が形成されていて、その空間には、ミラー部１０の背面に固定された保持部材１６が収容される。
【００６３】
図９に現れているように、上面部１００ａは、図４の実施形態と同様に鏡１２の反射面から突出する所定の高さ（例えば、約５ｍｍ）を有するが、側面部１００ｂの突出した部分は上面部１００ａよりも低い。また、上面部１００ａ、側面部１００ｂ及び背面部１００ｃの角は、図４の実施形態のものよりも丸められている。
【００６４】
上面部１００ａは、図８に示す実施形態と同様に、検針メータの窓の汚れや水分をふき取るためのクレーパーとして機能する。ただし、図４の実施形態と比べて、側面部１００ｂの鏡１２から突出する部分は低いため、側面部１００ｂからミラー部１０が外れないように、保護カバー１００はある程度の固さが必要である。
【００６５】
そのように側面部１００ｂを低くしたのは、側面部からの太陽光の射し込みを遮ることよりも、側面部の突出部分によって、鏡１２の反射面の有効な反射面積を狭めないことを使用上優先すべき場合があるからである。
【００６６】
また、側面部１００ｂを低くしたため、側面部１００ｂの内壁面に、ミラー部１０の枠１８の側面端部と係合する浅い溝を形成してもよい。
【００６７】
上述の実施形態では、ミラー部１０の反射面は多くの場合には平坦であるが、拡大鏡のように凹面鏡であってもよく、場合に応じ凸面鏡を用いて広角レンズのように視界を広げるようにしてもよい。
【００６８】
以上、本発明に係る検針ミラー及び保護カバーのいくつかの実施形態について説明したが、本発明はそれらの実施形態に拘束されるものではなく、当業者が容易になしえる追加、削除、改変等は、本発明に含まれるものであり、また、本発明の技術的範囲は、添付の特許請求の範囲の記載によって定められることを承知されたい。
【符号の説明】
【００６９】
１・・・検針ミラー
１０・・・ミラー部
１２・・・鏡
１４・・・面ファスナーの一方のファスナー面
１６・・・保持部材
１６ｂ・・・保持部材の下端部
１６ｎ・・・ネジ部材
１８・・・枠
２０・・・角度調整部
２２・・・蝶ネジ
２４−１，２４−２・・・プレート
３０・・・ポール部
３０ｂ・・・ポール部の先端部
５０，５０−１・・・保護カバー
５０ａ，５０ａ−１・・・上面部
５０ｂ・・・側面部
５０ｃ・・・背面部
５２・・・切欠き部
５４・・・面ファスナーの他方のファスナー面
５６・・・溝
【図１】
2012170636.tif 000003
【図２】
2012170636.tif 000004
【図３】
2012170636.tif 000005
【図４】
2012170636.tif 000006
【図５】
2012170636.tif 000007
【図６】
2012170636.tif 000008
【図７】
2012170636.tif 000009
【図８】
2012170636.tif 000010
【図９】
2012170636.tif 000011